(57)【要約】【課題】  ウォータージェットポンプから噴射された水が反射時に拡散するのを抑制することにより、後進時における推力を十分に得ることができるとともに、後進しつつ効率よく旋回することができるウォータージェット推進型の小型滑走艇用のリバースバケット、及びリバース機構の提供。【解決手段】  リバースバケット２２は、略ボウル形状を成す本体部３０と、該本体部３０の内壁面に内方へ突出して略前後方向に沿って延設されたサイドフィン３３及びセンターフィン３４とを備える。【選択図】  図７
2005145206.tif 000002
【特許請求の範囲】
【請求項１】
略ボウル形状を成す本体部と、該本体部の内壁面にて内方へ突出して略前後方向に沿って延設されたフィンとを備えることを特徴とするウォータージェット推進型の小型滑走艇用のリバースバケット。
【請求項２】
前記フィンは、前記本体部の内壁面における左右それぞれの所定位置に配設されたサイドフィンを有することを特徴とする請求項１に記載のウォータージェット推進型の小型滑走艇用のリバースバケット。
【請求項３】
前記フィンは、左右の前記サイドフィンの間に配設されたセンターフィンを有することを特徴とする請求項２に記載のウォータージェット推進型の小型滑走艇用のリバースバケット。
【請求項４】
前記サイドフィンは、前記センターフィンよりも大きく突出していることを特徴とする請求項３に記載のウォータージェット推進型の小型滑走艇用のリバースバケット。
【請求項５】
艇の推進機構を成すウォータージェットポンプと、該ウォータージェットポンプの後方に配置されて上下へ揺動自在であり前記ウォータージェットポンプからの噴流を内壁面にて受けるリバースバケットとを備え、
該リバースバケットは、略ボウル形状を成す本体部と、該本体部の内壁面にて内方へ突出して略前後方向に沿って延設されたフィンとを有することを特徴とするウォータージェット推進型の小型滑走艇用のリバース機構。
【請求項６】
前記ウォータージェットポンプは、左右へ揺動自在のステアリングノズルを後部に有し、前記リバースバケットは、前記本体部が前記ステアリングノズルを覆って設けられ、
前記フィンは、前記本体部の内壁面において、最も左側に向けられた前記ステアリングノズルの対向箇所の近傍左側、及び、最も右側に向けられた前記ステアリングノズルの対向箇所の近傍右側にそれぞれ配設されたサイドフィンを有することを特徴とする請求項５に記載のウォータージェット推進型の小型滑走艇用のリバース機構。
【発明の詳細な説明】
【技術分野】
【０００１】
本発明は、ウォータージェット推進型の小型滑走艇が後進時に使用するリバースバケット、及び該小型滑走艇用のリバース機構に関する。
【背景技術】
【０００２】
ウォータージェット推進型の小型滑走艇は、レジャー用，スポーツ用、或いはレスキュー用として近年多用されている。該小型滑走艇は、ハル及びデッキにより構成された艇内にエンジンを備えており、一般にハル後部の底面に設けられた吸水口から吸い込んだ水を、前記エンジンにより駆動されるウォータージェットポンプで加圧・加速して後方へ噴射することによって船体の推進力を得ている。
【０００３】
また、ウォータージェットポンプは、その後部に、左右へ揺動自在のステアリングノズルを備え、該ステアリングノズルはハンドルバーとの間でケーブルにより接続されている。従って、ハンドルバーを操作することにより、ステアリングノズルを左右へ揺動させることができ、ウォータージェットポンプからの水の噴射方向を変更することができる。
【０００４】
更に、前記ウォータージェットポンプの後方には、ステアリングノズルを覆うようにしてリバースバケットが設けられている（例えば、特許文献１，２参照）。このリバースバケットは上下へ揺動自在であり、下方に位置させた場合には、ステアリングノズルからの噴流を前記リバースバケットの内壁面にて反射させて略前方へ向かわせる。従って、このときに艇を後進させることができる。
【特許文献１】特許第２７５６４３４号公報
【特許文献２】特許第３３５８７１８号公報
【発明の開示】
【発明が解決しようとする課題】
【０００５】
ところで、上述したリバースバケットの場合、その内壁面にて反射した噴流は、左右へ拡散するなどして比較的広角な範囲の方向へ向かう。従って、スロットルを操作してステアリングノズルからの噴流を増量しなければ、エンジンがアイドリング状態では後進時の推力が十分に得られない場合がある。このような推力不足は、後進しながら左右へ旋回する場合においても同様に生じ得るものであり、この場合には更に、反射した噴流の拡散がハンドルバーの操作に対する旋回動作のレスポンスの向上を妨げる要因になる場合もある。
【０００６】
また、従来のリバースバケットにあっては、左右それぞれの側壁に孔を設け、後進しつつ旋回する際にはこの孔から吐出される少量の噴流によって旋回推力を得ることにより、旋回動作時に優れたレスポンスを得られるものもある。しかしながら、この場合はハンドルバーの操作方向と旋回方向とが異なるため、これを一致させつつ後進旋回時のレスポンスを確保したいという要望もある。
【０００７】
そこで本発明は、ウォータージェット推進型の小型滑走艇において、リバースバケットにて反射される噴射水の拡散を抑制することにより、後進時における推力を十分に得ることができるとともに、後進しつつ効率よく旋回することができるリバースバケット、及びリバース機構を提供することを目的とする。
【課題を解決するための手段】
【０００８】
本発明は上記のような事情に鑑みてなされたものであり、本発明に係るウォータージェット推進型の小型滑走艇用のリバースバケットは、略ボウル形状を成す本体部と、該本体部の内壁面にて内方へ突出して略前後方向に沿って延設されたフィンとを備える。
【０００９】
この場合、リバースバケットの内壁面にて反射される水を整流してこの水の拡散を抑制するため、後進時における推力の向上を図ることができる。また、上述した構成では、旋回時においてもリバースバケットの内壁面にて反射された水の噴流によって旋回推力を得るため、ハンドルバーの操作方向と旋回方向とは一致する。
【００１０】
また、前記フィンは、前記本体部の内壁面における左右それぞれの所定位置に配設されたサイドフィンを有していてもよい。この場合、リバースバケットにて反射した水が左右へ拡散するのを抑制することができ、後進時の推力向上を図ることができる。特に、旋回時に噴流を受ける箇所の外側近傍にサイドフィンを設けた場合には、後進しつつ旋回するときに、反射する水の左右への拡散を効果的に抑制することができる。
【００１１】
また、前記フィンは、左右の前記サイドフィンの間に配設されたセンターフィンを有していてもよい。この場合、上述したような効率のよい旋回を確保しつつ、反射する水の整流作用の向上によって更なる推力の向上を図ることができる。
【００１２】
また、前記サイドフィンは、前記センターフィンよりも大きく突出していてもよい。この場合、反射する水の左右への拡散を、より効果的に抑制することができる。
【００１３】
本発明に係るウォータージェット推進型の小型滑走艇用のリバース機構は、艇の推進機構を成すウォータージェットポンプと、該ウォータージェットポンプの後方に配置されて上下へ揺動自在であり前記ウォータージェットポンプからの噴流を内壁面にて受けるリバースバケットとを備え、該リバースバケットは、略ボウル形状を成す本体部と、該本体部の内壁面にて内方へ突出して略前後方向に沿って延設されたフィンとを有する。
【００１４】
この場合、ウォータージェットポンプから噴射された水は、リバースバケットの本体部の内壁面で反射されるときに整流され、拡散が抑制されて略前方へ向かって排出される。従って、艇が後進するときの推力の向上を図ることができる。
【００１５】
また、前記ウォータージェットポンプは、左右へ揺動自在のステアリングノズルを後部に有し、前記リバースバケットは、前記本体部が前記ステアリングノズルを覆って設けられ、前記フィンは、前記本体部の内壁面において、最も左側に向けられた前記ステアリングノズルの対向箇所の近傍左側、及び、最も右側に向けられた前記ステアリングノズルの対向箇所の近傍右側にそれぞれ配設されたサイドフィンを有していてもよい。
【００１６】
この場合、艇を後進させつつ旋回すべくステアリングノズルを左右へ向けたときに、ステアリングノズルからの噴流がリバースバケットでの反射時に左右へ拡散するのを効果的に抑制することができ、後進しつつ旋回するときの推力向上とレスポンスの向上とを図ることができる。
【発明の効果】
【００１７】
本発明に係るウォータージェット推進型の小型滑走艇用のリバースバケット及びリバース機構によれば、ウォータージェットポンプから噴射され、リバースバケットにて反射される水の拡散を抑制することにより、後進時における推力を得ることができるとともに、後進しつつ効率よく旋回することができる。
【発明を実施するための最良の形態】
【００１８】
以下、本発明の実施の形態にかかるウォータージェット推進型の小型滑走艇用のリバースバケット及びリバース機構について、図面を参照しながら具体的に説明する。図１に示す滑走艇は、ライダーがシート７上に跨って乗る騎乗型の滑走艇であり、その船体１は、ハル２と該ハル２の上部を覆うデッキ３とから構成されている。船体１の全周に渡るハル２とデッキ３との接続ラインはガンネルライン４と称する。このガンネルライン４は、艇が停泊しているときには喫水線５よりも上方に位置している。なお、以下の説明で用いる向きの概念は、シート７上に跨ったライダーから見た方向の概念と一致するものとする。
【００１９】
図２に示すように、船体１の上部におけるデッキ３の長手方向の略中央位置であって左右の中央には、平面視にて略長方形状のデッキ開口部６が、船体１の前後方向に長辺を沿うようにして設けられている。該デッキ開口部６の上方には、ライダーが跨って座る騎乗型のシート７が着脱可能にして取り付けられている。
【００２０】
デッキ開口部６の下方にてハル２及びデッキ３により囲まれた空間はエンジンルーム８を成しており、該エンジンルーム８内には、滑走艇を駆動させるエンジンＥが搭載されている。また、前記エンジンルーム８は、横断面が凸状を成しており、下部に比して上部が狭くなるような形状を成しており、その内部にてエンジンＥは、図１に示すようにクランクシャフト９が船体１の前後方向に沿うようにして収納されている。
【００２１】
クランクシャフト９の出力端部は、ドライブシャフト１０を介し、船体１の後部に配置されたウォータージェットポンプＰのポンプ軸１１に接続されている。従って、クランクシャフト９の回転に連動してポンプ軸１１は回転する。ポンプ軸１１にはインペラ１２が取り付けられており、該インペラ１２の後方には静翼１３が配置されている。インペラ１２の外周方には、該インペラ１２を覆うようにポンプケーシング１４が設けられている。
【００２２】
船体１の底部には吸水口１５が設けられている。該吸水口１５と前記ポンプケーシング１４との間は吸水通路により接続され、該ポンプケーシング１４は更に、船体１の後部に設けられたポンプノズル１６に接続されている。該ポンプノズル１６は、後方へいくに従ってノズル径が小さくなるように構成されており、後端には図３にも示すように噴射口１７が形成されている。
【００２３】
滑走艇は、前記吸水口１５から吸入した水をウォータージェットポンプＰにて加圧・加速し、また、静翼１３にて整流して、前記ポンプノズル１６を通じて前記噴射口１７から後方へ吐出する。滑走艇は、噴射口１７から吐き出された水の反動により、推進力を得る。
【００２４】
デッキ３の前部には操舵用のハンドルバー１９が設けられ、該ハンドルバー１９は、ポンプノズル１６の後方に配置されたステアリングノズル２０（図３も参照）との間にてケーブル（図示せず）を介して接続されている。ハンドルバー１９を左右に操作することにより、ステアリングノズル２０は左右に揺動される。従って、ウォータージェットポンプＰが推力を発生させている間にハンドルバー１９を操作することにより、ポンプノズル１６を通じて外部へ吐き出される水の方向を変えることができ、滑走艇の前進方向を変えることができる。
【００２５】
図４は、ウォータージェットポンプＰの後部拡大側面図である。図４に示すように、ステアリングノズル２０の略上方には、ボウル形状を成すリバースバケット２２が配置されている。また、ポンプケーシング１４の下方には、これを覆うようにしてポンプカバー２３が設けられ、該ポンプカバー２３の後部には揺動軸２４を介してリバースバケット２２を枢支する枢支部２５が立設されている。図３に示すように、この枢支部２５は、ポンプカバー２３の左右に配設されている。また、リバースバケット２２は、揺動軸２４から離れた位置にてケーブル２６の一端が接続されており、このケーブル２６の他端はリバースレバー２７（図１参照）に接続されている。
【００２６】
従って、リバースレバー２７を操作することにより、図４に示すようにリバースバケット２２は、揺動軸２４を軸として上下方向へ揺動することができる。そして、リバースバケット２２を、揺動軸２４を中心に下方へ揺動させてステアリングノズル２０の後方に位置させた場合、ステアリングノズル２０から後方へ吐き出される水はリバースバケット２２の内壁面にて反射され、略前方へ向きを変えて噴射される。従ってこのとき、滑走艇を後進させることができる。なお、図４には、ステアリングノズル２０から噴射される水の通流断面の中心線２８を一点鎖線で示している。
【００２７】
図５はリバースバケット２２の構成を示す図面であり、図５（ａ）はその背面図、図５（ｂ）はその側面図である。図６はリバースバケット２２の構成を示す断面図であり、図６（ａ）は図５（ｂ）のVIa-VIa断面図、図６（ｂ）は図５（ａ）のVIb-VIb断面図である。また、図７は、リバースバケット２２の構成を示す裏面図である。
【００２８】
図５（ａ），（ｂ）に示すように、リバースバケット２２は、ボウル形状を成す本体部３０の外壁面に、左右方向へ延びる多数のリブ３１が設けられている。リバースバケット２２は合成樹脂製であり、このリブ３１によって剛性が確保されているが、十分な剛性を有する素材を用いてリバースバケット２２を構成する場合には、このリブ３１は必ずしも要しない。また、本体部３０の後端部には、ツバ部３２が設けられている。
【００２９】
図６（ａ），（ｂ）及び図７に示すように、本体部３０の内壁面には多数のフィンが形成されている。即ち、本体部３０の内壁面の左右には比較的突出量の大きい（高さ寸法の大きい）サイドフィン３３が設けられ、このサイドフィン３３の間には、これより突出量の小さい（高さ寸法の小さい）センターフィン３４が２つ設けられている。センターフィン３４は、上下にリバースバケット２２が揺動したときに、ステアリングノズル２０の後端部が接触しない範囲で可及的に大きい寸法を得られるように形成されており、その設置数は整流作用を考慮して適宜変更してもよい。このサイドフィン３３及びセンターフィン３４はともに、本体部３０の略前後方向に沿って延設されており、いずれも前部に比べて後部の方が突出量が小さくなるように形成されている。
【００３０】
また、サイドフィン３３は、本体部３０の内壁面の左右において、所定の位置に設けられている。詳説すると、図６（ａ）に示すように、ステアリングノズル２０は、リバースバケット２２の内方にて所定の角度範囲内で左右へ揺動する。そして、左側のサイドフィン３３は、ステアリングノズル２０が最も左側へ向けられたときの該ステアリングノズル２０の対向箇所の近傍左側に突設されている。右側のサイドフィン３３は、ステアリングノズル２０が最も右側へ向けられたときの該ステアリングノズル２０の対向箇所の近傍右側に突設されている。
【００３１】
サイドフィン３３及びセンターフィン３４は、リバースバケット２２の剛性を確保するためのリブの役割も果たしている。また、本体部３０の外壁面のリブ３１と、サイドフィン３３及びセンターフィン３４とは、延設方向が互いに交差している。従って、リバースバケット２２は、多方向からの外力に対して十分な剛性が確保されている。
【００３２】
次に、上述したような構成を成すリバースバケット２２を備える小型滑走艇の後進時の状態について説明する。図８は、真っ直ぐに後進する場合にステアリングノズル２０から吐き出される噴流の流れを示す、ウォータージェットポンプＰの後部拡大平面図である。図８に示すように、ステアリングノズル２０から後方へ吐き出された水は、リバースバケット２２の内壁面にて反射される。反射された水は、サイドフィン３３により流れの方向が規制されて左右方向への拡散が抑制され、略前方への指向性が高められる。また、内壁面にて反射される水は、反射される際にセンターフィン３４によっても整流され、後方へ吐き出された水の向きを前方へと円滑に変更する。
【００３３】
従って、後進時においてステアリングノズル２０から吐き出された水を、効率よく且つ指向性よく前方へ噴射することができるため、例えばエンジンＥがアイドリング状態であっても十分な後進推力を得ることができる。
【００３４】
図９は、後進しつつ旋回（左旋回）する場合にステアリングノズル２０から吐き出される噴流の流れを示す、ウォータージェットポンプＰの後部拡大平面図である。ハンドルバー１９を操作することより、図９に示すように左旋回時にはステアリングノズル２０は左側へ向けられる。このステアリングノズル２０から左後方へ吐き出された水は、リバースバケット２２の左右のサイドフィン３３の間であって主に左寄りの内壁面にて反射される。反射された水は、左側のサイドフィン３３によって流れの方向が規制され、リバースバケット２２の左側への拡散が抑制される一方、センターフィン３４によって整流され、左後方へ吐き出された水の向きは右前方へと円滑に変更される。
【００３５】
従って、後進しつつ旋回する場合に、十分な推力と旋回力とを得ることができ、例えばエンジンＥがアイドリング状態であっても効率よく後進旋回することができる。
【産業上の利用可能性】
【００３６】
本発明は、ウォータージェット推進型の小型滑走艇に適用することができ、特に、そのリバースバケット及びリバース機構に適用することができる。
【図面の簡単な説明】
【００３７】
【図１】本発明の実施の形態に係る小型滑走艇の側面図である。
【図２】図１に示す小型滑走艇の平面図である。
【図３】図１に示す小型滑走艇の背面図である。
【図４】図１に示すウォータージェットポンプの後部拡大側面図である。
【図５】図４に示すリバースバケットを示す図面であり、（ａ）はその背面図、（ｂ）はその側面図である。
【図６】図５に示すリバースバケットを示す断面図であり、（ａ）は図５（ｂ）のVIa-VIa断面図、（ｂ）は図５（ａ）のVIb-VIb断面図である。
【図７】図５に示すリバースバケットを示す裏面図である。
【図８】図１に示す小型滑走艇が真っ直ぐに後進する場合にステアリングノズルから吐き出される噴流の流れを示す、ウォータージェットポンプの後部拡大平面図である。
【図９】図１に示す小型滑走艇が後進しつつ旋回する場合にステアリングノズルから吐き出される噴流の流れを示す、ウォータージェットポンプの後部拡大平面図である。
【符号の説明】
【００３８】
１    船体
２    ハル
３    デッキ
１４  ポンプケーシング
２２  リバースバケット
２３  ポンプカバー
２４  揺動軸
２５  枢支部
２６  ケーブル
２７  リバースレバー
３０  本体部
３１  リブ
３２  ツバ部
３３  サイドフィン
３４  センターフィン
Ｅ    エンジン
Ｐ    ウォータージェットポンプ
【図１】
2005145206.tif 000003
【図２】
2005145206.tif 000004
【図３】
2005145206.tif 000005
【図４】
2005145206.tif 000006
【図５】
2005145206.tif 000007
【図６】
2005145206.tif 000008
【図７】
2005145206.tif 000009
【図８】
2005145206.tif 000010
【図９】
2005145206.tif 000011